(57)【要約】【課題】外観の見栄えの低下を抑制することを可能にする。【解決手段】器具本体（本体１０及びカバー５）は、レンズブロック２２の一部（レンズ部２２０）を露出させるための窓孔５０がカバー５にに設けられた箱形に形成されている。モニタランプは、器具本体の前方（下方）から見て窓孔５０の投影範囲内に配置されている。操作部は、押釦４０６０を有する押釦スイッチと、押釦４０６０を押操作するための操作部材（放熱部材２１）とを有し、押釦スイッチの操作状態に応じて操作入力を受け付けるように構成されている。放熱部材２１は、窓孔５０から露出するレンズ部２２０に加えられる操作力によって押釦４０６０を押操作するように構成されている。【選択図】        図１
2018137153.tif 000002
【特許請求の範囲】
【請求項１】
光源及び前記光源の配光を制御する光学部品を有する光源ユニットと、
蓄電池と、
前記蓄電池を充電し、かつ、前記蓄電池から供給される電力で前記光源を点灯させる点灯装置と、
前記蓄電池の充電状況を表示する表示部と、
前記光源ユニット、前記蓄電池、前記点灯装置及び前記表示部を収容する器具本体と
を備え、
前記点灯装置は、
外部電源から供給される電力で前記蓄電池を充電する充電回路と、
前記外部電源が停電したときに前記蓄電池から供給される電力で前記光源を点灯させる点灯回路と、
操作入力を受け付ける操作部と、
前記外部電源の停電の有無によらず、前記操作部が操作入力を受け付けたときに前記点灯回路を制御して前記光源を点灯させる制御回路と
を有し、
前記器具本体は、前記光学部品の一部を露出させるための窓孔が前面に設けられた箱形に形成され、
前記表示部は、前記器具本体の前方から見て前記窓孔の投影範囲内に配置されており、
前記操作部は、
押釦を有する押釦スイッチと、
前記押釦を押操作するための操作部材と
を有し、前記押釦スイッチの操作状態に応じて前記操作入力を受け付けるように構成され、
前記操作部材は、前記窓孔から露出する前記光学部品の一部に加えられる操作力によって前記押釦を押操作するように構成されている
ことを特徴とする非常用照明器具。
【請求項２】
前記操作部材は、前記光源及び前記光学部品を保持し、前記光学部品の一部に加えられる前記操作力に応じて、前記器具本体に対して定常位置から操作位置まで変位し、前記操作位置に変位したときに前記押釦を押操作するように構成されている
ことを特徴とする請求項１記載の非常用照明器具。
【請求項３】
前記操作力が前記光学部品の一部に加えられていないときに前記操作部材に対して前記操作位置から前記定常位置に向かう復帰力を印加する復帰ばねを備えることを特徴とする請求項２記載の非常用照明器具。
【請求項４】
前記操作部材は、前記器具本体に対する前記窓孔の貫通方向に沿って変位するように前記器具本体に取り付けられていることを特徴とする請求項１〜３のいずれか１項に記載の非常用照明器具。
【請求項５】
前記制御回路は、前記操作部が受け付ける操作入力が第１の操作入力である場合に前記点灯回路に対して第１の制御動作を行い、前記操作部が受け付ける操作入力が第２の操作入力である場合に前記点灯回路に対して第２の制御動作を行うように構成されていることを特徴とする請求項１〜４のいずれか１項に記載の非常用照明器具。
【請求項６】
赤外線を媒体とする無線信号を受信する受信部を備え、
前記制御回路は、前記無線信号が前記受信部に受信されると、前記第１の制御動作と前記第２の制御動作のうちの少なくともいずれか一方の制御動作を行うように構成され、
前記受信部は、前記器具本体の前方から見て前記窓孔の投影範囲内に配置されていることを特徴とする請求項５記載の非常用照明器具。
【発明の詳細な説明】
【技術分野】
【０００１】
本発明は、非常用照明器具に関し、より詳細には、点検用のスイッチ及び非常用電源の充電状態を表示する表示素子を有する非常用照明器具に関する。
【背景技術】
【０００２】
従来例として、特許文献１記載の非常用照明器具を例示する。この従来例は、有底筒状の器具本体、非常用電源ブロック、光源ブロック、電源装置、点検スイッチ部、枠体などを有している。器具本体は、非常用電源ブロック、光源ブロック、電源装置、点検スイッチ部を内部に収容する。非常用電源ブロックは、蓄電池を有している。電源装置は、電力系統から供給される交流電力で非常用電源ブロックの蓄電池を充電する。また、電源装置は、電力系統の停電時に非常用電源ブロックから出力される直流電力で光源ブロックを点灯させる。点検スイッチ部は、操作釦及び表示部を有している。表示部は、電源装置による蓄電池の充電状態を表示する。電源装置は、点検スイッチ部の操作釦が操作されると非常用電源ブロックの充電を中止し、非常用電源ブロックから出力される直流電力を光源ブロックに供給する。枠体は、器具本体の下端部に着脱可能に取り付けられる。枠体は、点検スイッチ部の操作釦と対応する位置に、操作釦が挿通される孔が設けられている。つまり、操作釦は、枠体の孔を通して押操作される。また、枠体は、点検スイッチ部の表示部と対応する位置にも孔が設けられている。つまり、発光素子を有する表示部の発する光は、枠体の孔を通して器具本体の外へ放射される。
【先行技術文献】
【特許文献】
【０００３】
【特許文献１】特開２０１４−３２８６８号公報
【発明の概要】
【発明が解決しようとする課題】
【０００４】
ところで、上記従来例は、最も人の目に触れやすい部分である枠体の表面に２つの孔を有している。このため、これら２つの孔により、非常用照明器具の外観の見栄え（デザイン性）が低下する可能性がある。
【０００５】
本発明の目的は、外観の見栄えの低下を抑制することが可能な非常用照明器具を提供することである。
【課題を解決するための手段】
【０００６】
本発明の一態様に係る非常用照明器具は、光源及び前記光源の配光を制御する光学部品を有する光源ユニットと、蓄電池と、前記蓄電池を充電し、かつ、前記蓄電池から供給される電力で前記光源を点灯させる点灯装置とを備える。前記非常用照明器具は、前記蓄電池の充電状況を表示する表示部と、前記光源ユニット、前記蓄電池、前記点灯装置及び前記表示部を収容する器具本体とを備える。前記点灯装置は、外部電源から供給される電力で前記蓄電池を充電する充電回路と、前記外部電源が停電したときに前記蓄電池から供給される電力で前記光源を点灯させる点灯回路と、操作入力を受け付ける操作部とを有する。前記点灯装置は、前記外部電源の停電の有無によらず、前記操作部が操作入力を受け付けたときに前記点灯回路を制御して前記光源を点灯させる制御回路を有する。前記器具本体は、前記光学部品の一部を露出させるための窓孔が前面に設けられた箱形に形成されている。前記表示部は、前記器具本体の前方から見て前記窓孔の投影範囲内に配置されている。前記操作部は、押釦を有する押釦スイッチと、前記押釦を押操作するための操作部材とを有し、前記押釦スイッチの操作状態に応じて前記操作入力を受け付けるように構成されている。前記操作部材は、前記窓孔から露出する前記光学部品の一部に加えられる操作力によって前記押釦を押操作するように構成されている。
【発明の効果】
【０００７】
本発明の非常用照明器具は、外観の見栄えの低下を抑制することが可能になるという効果がある。
【図面の簡単な説明】
【０００８】
【図１】図１は、本発明の一実施形態に係る非常用照明器具の分解斜視図である。
【図２】図２は、同上の非常用照明器具における光源ユニットの断面図である。
【図３】図３は、同上の光源ユニットのレンズを省略した要部の正面図である。
【図４】図４は、同上の非常用照明器具の下面図である。
【図５】図５は、同上の非常用照明器具の左側面図である。
【図６】図６は、同上の非常用照明器具の前面図である。
【図７】図７は、同上の非常用照明器具の上面図である。
【図８】図８は、同上の非常用照明器具のカバーを外した状態の下面図である。
【図９】図９は、同上の非常用照明器具における点灯装置の回路ブロック図である。
【図１０】図１０は、同上の非常用照明器具における点灯ユニットの分解斜視図である。
【図１１】図１１は、同上の非常用照明器具の光源ユニット及びカバーを取り外した状態の一部省略した斜視図である。
【図１２】図１２は、同上の非常用照明器具の定常位置における要部の断面図である。
【図１３】図１３は、同上の非常用照明器具の操作位置における要部の断面図である。
【図１４】図１４は、同上の非常用照明器具の操作位置における左側面図である。
【発明を実施するための形態】
【０００９】
本発明の一実施形態に係る非常用照明器具１について、図面を参照して詳細に説明する。非常用照明器具１は、天井材に設けられる埋込孔に埋め込むようにして設置される、電池内蔵型の非常用照明器具である。ただし、非常用照明器具１は天井埋込型の非常用照明器具に限定されず、例えば、天井材に直付けされる直付け型の非常用照明器具であってもよい。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
非常用照明器具１は、図１に示すように、本体１０と、光源ユニット２と、電池ユニット３と、点灯ユニット４と、本体１０とともに器具本体を構成するカバー５とを備えている。非常用照明器具１は、さらに、支持具６並びに取付ばね７を備える。ただし、以下の説明では、特に断りのない限り、図１において非常用照明器具１の上下、左右、前後の各方向を規定する。
【００１１】
光源ユニット２は、図２に示すように、ＬＥＤモジュール２０、放熱部材２１、レンズブロック２２、取付部材２３、押さえ部材２４、熱伝導シート２５を備えることが好ましい。ＬＥＤモジュール２０は、矩形平板状の実装基板２００の実装面（図２における下面）の中央に１個以上のＬＥＤ（Light Emitting Diode）チップが実装される。ＬＥＤチップは、例えば、青色光を放射する青色発光ダイオードであることが好ましい。また、ＬＥＤチップを含む実装基板２００の実装面は、ＬＥＤチップから放射される青色光を波長変換する蛍光物質が混入された封止樹脂２０１で円盤状に被われる（図３参照）。さらに、実装基板２００の対角の位置にある一対の角部の下面には、カソード電極２０２とアノード電極２０３が形成されている。なお、ＬＥＤモジュール２０は、カソード電極２０２とアノード電極２０３に直流電圧が印加されることにより、白色の照明光を放射するように構成される。
【００１２】
熱伝導シート２５は、高熱伝導率、電気絶縁性及び難燃性を有するシリコーン樹脂製のシート材で構成されることが好ましい。熱伝導シート２５は、ＬＥＤモジュール２０の実装基板２００と放熱部材２１との間に介在し、ＬＥＤチップから発せられて実装基板２００を通して伝導される熱を、放熱部材２１に伝導するように構成される。
【００１３】
押さえ部材２４は、例えば、ポリカーボネート樹脂などの合成樹脂材料によって、概ね円盤状に形成されることが好ましい（図３参照）。押さえ部材２４は、中央に正方形の孔２４０を有する。また、押さえ部材２４において、正方形の孔２４０の４つの角のうちの２つの対角の位置に、押さえ突起２４２がそれぞれ形成されている（図３参照）。また、押さえ部材２４は、円形の第１貫通孔２４４と、矩形の第２貫通孔２４５とを有している。
【００１４】
レンズブロック２２は、例えば、ガラス製であって、概ね円錐台形状のレンズ部２２０と、レンズ部２２０の周縁から外向きに突出する円環状の外鍔部２２１とを有する（図１及び図２参照）。レンズ部２２０は、図２に示すように、概ね回転放物面形状の入射面２２００が形成されている。レンズ部２２０は、入射面２２００に入射する光（ＬＥＤモジュール２０から放射される照明光）の配光を制御するように構成される。
【００１５】
取付部材２３は、例えば、ポリカーボネート樹脂などの合成樹脂材料によって、概ね楕円形状に形成される（図１参照）。取付部材２３は、上下方向から見た形状が円形である凹所２３０と、凹所２３０の底に開口する円形の窓孔２３１とを有している（図２参照）。また、取付部材２３は、長軸方向の両端に、それぞれねじ挿通孔を有している。
【００１６】
放熱部材２１は、図１及び図２に示すように、結合部２１０、固定部２１１、突板部２１２及び操作突起２１３を有している。結合部２１０は、左右方向を長手方向とする平板状に形成されている。結合部２１０の下面における左右方向の中央から右寄り（図２では左寄り）の位置に、ＬＥＤモジュール２０及びレンズブロック２２が取付部材２３によって取り付けられている。結合部２１０は、２つのねじ孔を有している。取付部材２３は、２つのねじ挿通孔にそれぞれ挿通された２本のねじ２３２が、結合部２１０の２つのねじ孔にそれぞれねじ込まれることにより、結合部２１０に固定される（図１及び図２参照）。操作突起２１３は、例えば、結合部２１０における取付部材２３の左横（図２では右横）から切り起こされて上向きに突出する直方体状に形成されている（図１及び図２参照）。固定部２１１は、概ね矩形の平板状であって、結合部２１０の左側（図２では右側）の縁から上向きに起立するように形成されている。また、固定部２１１の下端寄りの前後両端に、それぞれねじ孔２１１０が１つずつ設けられている（図１参照）。さらに、固定部２１１は、前後方向の中央に、上端が開放された矩形の縦溝２１１１が形成されている。突板部２１２は、左右方向から見て概ねＬ字形状に形成されている（図１参照）。突板部２１２は、結合部２１０の右側（図２では左側）の縁から上向きに起立するように結合部２１０と一体に形成されている。なお、結合部２１０、固定部２１１、突板部２１２及び操作突起２１３は、例えば、アルミ又はアルミ合金製の板材によって一体に形成されることが好ましい。
【００１７】
本体１０は、下面が開口した有底筒状に形成される。また、本体１０は、１２個の平坦な壁を有する角筒状に形成されている。１２個の壁のうち、左側に位置する平坦な壁（平坦壁１５）に、２つのねじ挿通孔１５０が設けられている（図１参照）。各ねじ挿通孔１５０は、長軸の方向を上下方向に一致させた長孔状に形成されている。さらに、本体１０の１２個の壁のそれぞれの下端縁には、外向きに突出する複数のフランジ片１００が形成されている（図１参照）。
【００１８】
本体１０の左右両側の平坦壁１５には、それぞれ支持具６が１つずつ取り付けられている（図１参照）。これら一対の支持具６は、長尺の板ばね状に形成されることが好ましい。それぞれの支持具６は、長手方向の一端部で本体１０の平坦壁１５に固定され、かつ、長手方向の他端部が本体１０の底板１１に近付く向き（上向き）に撓み可能に構成されている。つまり、本体１０は、埋込孔内に挿入される一対の支持具６と、本体１０の下端面に設けられる複数のフランジ片１００との間で天井材を挟み込むようにして天井材に支持される。
【００１９】
カバー５は、本体１０の外径（複数のフランジ片１００の先端縁の外径）よりも大きい円盤状に形成されている。カバー５の中央には、円形の窓孔５０が設けられている（図１及び図４参照）。この窓孔５０には、光源ユニット２のレンズ部２２０が挿通される。カバー５は、本体１０の前面の開口を開放可能に塞ぐように構成されている。カバー５の上面における前端及び後端には、それぞれ取付ばね７が取り付けられている（図１参照）。これら一対の取付ばね７は、本体１０の内周面の前側及び後側にそれぞれ一対ずつ設けられる挿通溝１３（図８参照）に抜き差し可能に挿通される。つまり、カバー５は、一対の取付ばね７がそれぞれ一対の挿通溝１３に挿通されることにより、本体１０の下面を閉塞する状態で本体１０に保持される（図５参照）。なお、従来例と異なり、カバー５には窓孔５０以外の孔は設けられていない。
【００２０】
電池ユニット３は、複数本の蓄電池３０と、これら複数本の蓄電池３０を収容する電池ケース３１とを有している（図１及び図８参照）。蓄電池３０は、例えば、円筒形のニッケル水素電池である。電池ケース３１は、上下両側の底面が馬蹄形（Ｕ字形）である筒状に形成されている。電池ケース３１の下側の前端部には、複数本の蓄電池３０を点灯ユニット４と電気的に接続するためのコネクタ部３２が設けられている（図８参照）。
【００２１】
点灯ユニット４は、点灯装置４０と、点灯装置４０を収容する筐体４１とを有する。点灯装置４０の回路ブロックを図９に示す。点灯装置４０は、直流電源回路４００、充電回路４０１、点灯回路４０２、停電検出回路４０３、制御回路４０４、モニタランプ４０５、押釦スイッチ４０６、受信部４０７などを備えている。
【００２２】
直流電源回路４００は、例えば、リンギングチョークコンバータなどの自励型のスイッチング電源回路で構成され、外部電源（例えば、商用の電力系統）９から供給される交流電圧を、当該交流電圧の実効値よりも低い直流電圧に変換する。充電回路４０１は、外部電源９から給電されているときに動作し、直流電源回路４００から電池ユニット３へ一定の充電電流を流すように構成されている。点灯回路４０２は、電池ユニット３から供給される直流電流を定電流化して光源ユニット２に供給するように構成されている。停電検出回路４０３は、直流電源回路４００の出力電圧から外部電源９の停電を検出して制御回路４０４に通知するように構成されている。モニタランプ４０５は、例えば、緑色光を放射する発光ダイオードで構成されている。押釦スイッチ４０６は、押釦４０６０（図１０参照）が押操作されて内部の接点４０６１が閉じられることによって操作入力を受け付け、かつ、受け付けた操作入力を制御回路４０４に渡すように構成されている。受信部４０７は、赤外線を通信媒体とする無線信号を受信し、受信した無線信号から送信フレームを復調して制御回路４０４に渡すように構成されている。この無線信号は、定期点検の作業を行う作業者に操作されるワイヤレス送信器から送信される。なお、定期点検は、法令で定められた期間ごとに実施され、点灯回路４０２を強制的に動作させて光源ユニット２が規定の時間以上、点灯状態を維持することを確認することを目的として行われる。
【００２３】
制御回路４０４は、停電検出回路４０３が停電を検出していないとき、充電回路４０１を動作させ、かつ、点灯回路４０２を停止させるように構成されている。なお、制御回路４０４は、充電回路４０１を動作させているときにモニタランプ４０５を点灯させるように構成されている。また、制御回路４０４は、停電検出回路４０３が停電を検出しているとき、充電回路４０１を停止させ、かつ、点灯回路４０２を動作させるように構成されている。さらに、制御回路４０４は、押釦スイッチ４０６から受け取る操作入力が第１の操作入力と第２の操作入力のいずれであるかを判別するように構成されている。制御回路４０４は、所定時間（例えば、２秒間）内に受け取る操作入力の回数に基づいて第１の操作入力と第２の操作入力を判別すればよい。あるいは、制御回路４０４は、操作入力の継続時間（押釦スイッチ４０６がオンしている時間）に基づいて第１の操作入力と第２の操作入力を判別してもよい。
【００２４】
制御回路４０４は、第１の操作入力を受け取った場合、あるいは、受信部４０７から送信フレームを受け取った場合、充電回路４０１を停止させ、かつ、点灯回路４０２を動作させる制御動作（第１の制御動作）を行うように構成されている。さらに、制御回路４０４は、第２の操作入力を受け取った場合、点灯回路４０２を数秒間動作させた後、再度、点灯回路４０２を停止させ、かつ、充電回路４０１を動作させる制御動作（第２の制御動作）を行うように構成されている。なお、制御回路４０４は、第２の制御動作を行う際に点灯回路４０２から光源ユニット２へ正常に電流が供給されているか否かを判定し、その判定結果をモニタランプ４０５によって表示するように構成されることが好ましい。
【００２５】
点灯装置４０は、プリント配線板からなる回路基板４４の第１面４４０に実装される種々の電子部品４４１と、回路基板４４の第２面（第１面４４０の裏面）に形成される導体とで各回路を実現するように構成される（図１０参照）。押釦スイッチ４０６は、回路基板４４の第１面４４０の下端における前後方向のほぼ中央に、その押釦４０６０を下に向けるようにして実装されている。なお、回路基板４４の第１面４４０における上端部には、電源入力用の端子台４４２が実装されている。
【００２６】
モニタランプ４０５及び受信部４０７は、回路基板４４ではなく、光源ユニット２の放熱部材２１の結合部２１０に取り付けられている。モニタランプ４０５は、ＬＥＤモジュール２０の後方において、押さえ部材２４の第１貫通孔２４４と上下方向に重なる位置に配置されている。受信部４０７は、ＬＥＤモジュール２０の前方において、押さえ部材２４の第２貫通孔２４５と上下方向に重なる位置に配置されている（図３参照）。なお、モニタランプ４０５及び受信部４０７は、例えば、複数本の電線によって制御回路４０４と電気的に接続されることが好ましい。
【００２７】
点灯ユニット４の筐体４１は、図１０に示すように、第１筐体４１３と第２筐体４１４が結合されて箱状に形成されている。第１筐体４１３は、一面（図１０における上面）が開放された矩形の箱状に形成されている。また、第１筐体４１３の外側の底面（図１０における下面）には、速結式の端子台４３が取り付けられる取付台４１３０が一体に形成されている。さらに、第１筐体４１３の外側の底面における前後方向の中央の下端寄りの位置に復帰ばね４６が取り付けられている（図１０及び図１１参照）。復帰ばね４６は、板ばねで構成されている。ただし、復帰ばね４６はコイルばねなどの板ばね以外の種類のばねで構成されてもよい。復帰ばね４６は、Ｃ字状のばね部４６０と、ばね部４６０の一端から伸びる平板状の固定部４６１とを有している。復帰ばね４６は、その固定部４６１を第１筐体４１３に固定させることで筐体４１に取り付けられている（図１１参照）。
【００２８】
第２筐体４１４は、一面（図１０における下面）が開放された箱状に形成されている。第２筐体４１４は、その開放端を第１筐体４１３の開放端と突き合わすようにして第１筐体４１３に結合される。さらに、筐体４１（第２筐体４１４）の下面の前端（図１０における右端）に開口部４１０が設けられている。この開口部４１０の奥（上）には、回路基板４４の第１面４４０に実装された受け側のコネクタ４０９が配置される。このコネクタ４０９は、電池ユニット３のコネクタ部３２と挿抜可能かつ電気的に接続される。また、第２筐体４１４の下面の中央に、挿通孔４１５が設けられている。この挿通孔４１５の奥（上）には、回路基板４４の第１面４４０に実装された押釦スイッチ４０６が配置されている。押釦スイッチ４０６の押釦４０６０は、上下方向に沿って挿通孔４１５と対向している。なお、挿通孔４１５は、放熱部材２１の操作突起２１３が挿通可能な形状及び寸法に形成されている。
【００２９】
点灯ユニット４は、図１及び図８に示すように、本体１０内の左寄りの空間に収容される。そして、点灯ユニット４は、本体１０の底板１１に設けられている固定片１１０に筐体４１が固定されることで本体１０に取り付けられている。さらに詳しく説明すると、固定片１１０には２つの孔１１００が設けられ、これら２つの孔１１００に、第２筐体４１４の上面から突出する２つの突起４１４０がそれぞれ挿通される。そして、それぞれの孔１１００に挿通された２つの突起４１４０が溶融されることにより、筐体４１が固定片１１０にかしめ固定される（図７参照）。ただし、筐体４１の取付台４１３０に取り付けれた速結式の端子台４３は、図６に示すように、本体１０の底板１１に設けられる段差部１１１の孔１１１０を通して、差込口４３０を本体１０の外に露出させることが好ましい。つまり、これらの差込口４３０に電源線の導体が差し込まれることにより、端子台４３と回路基板４４に実装された端子台４４２とを介して、点灯装置４０が外部電源９と電気的に接続される。
【００３０】
次に、非常用照明器具１の組立手順を説明する。ただし、一対の支持具６は、既に本体１０に取り付けられている。
【００３１】
まず、組立作業を行う作業者は、本体１０内に点灯ユニット４を収容し、本体１０の底板１１の固定片１１０に点灯ユニット４の筐体４１をかしめ固定する（図１参照）。それから、作業者は、本体１０の左側の平坦壁１５と点灯ユニット４の間に放熱部材２１の固定部２１１を差し込み、かつ、電池ケース３１の内側（左側）に突板部２１２を配置する。なお、光源ユニット２のカソード電極２０２及びアノード電極２０３は、電線によって点灯ユニット４の点灯回路４０２と電気的に接続される。そして、作業者は、本体１０の外から平坦壁１５の２つのねじ挿通孔１５０にそれぞれ１本ずつねじ１５１を挿通し、放熱部材２１の固定部２１１の各ねじ孔２１１０に各ねじ１５１をねじ込む。なお、これら２本のねじ１５１は、いわゆる段付ねじであることが好ましい。その結果、放熱部材２１は、固定部２１１が本体１０にねじ止めされることにより、本体１０と熱的及び機械的に結合される。ただし、２つのねじ挿通孔１５０が長孔状に形成されているため、２本のねじ１５１は、各ねじ挿通孔１５０の長軸方向（上下方向）に沿ってねじ挿通孔１５０内を移動することができる。特に、各ねじ１５１が段付ねじであれば、固定部２１１のねじ孔２１１０にきつく締め付けられた状態であっても、ねじ挿通孔１５０内を移動することができる。したがって、光源ユニット２は、上下方向に沿って変位可能な状態で本体１０と結合されている。なお、光源ユニット２は、復帰ばね４６のばね部４６０を上下方向に圧縮した状態で本体１０に結合されているので、ばね部４６０のばね力により下向きの力を受けている。そして、光源ユニット２は、ばね部４６０のばね力により、２本のねじ１５１の雄ねじ部がねじ挿通孔１５０の内周面の下端に当たる位置（以下、定常位置という）に収まる（図５参照）。
【００３２】
続いて、作業者は、本体１０内に電池ユニット３を収容する。電池ユニット３のコネクタ部３２は、電池ユニット３が本体１０内に収容される際に、点灯ユニット４の筐体４１に設けられている開口部４１０を通して、点灯ユニット４の受け側のコネクタ４０９と電気的かつ機械的に接続される。
【００３３】
最後に、作業者は、一対の取付ばね７を本体１０の内周面の前側及び後側にそれぞれ一対ずつ設けられる挿通溝１３に挿通することにより、本体１０の下面を閉塞するようにカバー５を本体１０に保持させる（図４及び図５参照）。以上のようにして、非常用照明器具１の組立が完了する。
【００３４】
次に、非常用照明器具１の点検作業について説明する。点検作業を行う作業者は、カバー５の窓孔５０から突出しているレンズ部２２０を上向きに押す。光源ユニット２は、レンズ部２２０に上向きの力を受けると、定常位置から上向きに移動（変位）する。光源ユニット２が上向きに移動すると、操作突起２１３が挿通孔４１５を通して筐体４１内に進入し、押釦スイッチ４０６の押釦４０６０を押操作する（図１３参照）。ただし、光源ユニット２は、２本のねじ１５１の雄ねじ部がねじ挿通孔１５０の内周面の上端に当たる位置（以下、操作位置という）で停止する（図１４参照）。作業者がレンズ部２２０を上向きに押すことを止めると、光源ユニット２は、復帰ばね４６のばね力によって操作位置から定常位置に変位（復帰）する（図１２参照）。そして、点灯ユニット４の制御回路４０４は、作業者による操作入力が第１の操作入力であれば第１の制御動作を行い、作業者による操作入力が第２の操作入力であれば第２の制御動作を行う。このようにして非常用照明器具１の点検作業が実施される。ただし、光源ユニット２が自重で操作位置から定常位置に変位可能であれば、復帰ばね４６がなくてもかまわない。
【００３５】
ここで、非常用照明器具１は、光源ユニット２を押釦スイッチ４０６の押釦４０６０を押操作するための操作部材に用いている。そのため、非常用照明器具１は、押釦４０６０を押操作するための孔をカバー５に設ける必要がない。また、非常用照明器具１において、モニタランプ４０５（表示部）及び受信部４０７が、下から見て窓孔５０の投影範囲内に配置されている（図４参照）。つまり、モニタランプ４０５の光は、レンズ部２２０を通して器具本体（本体１０及びカバー５）の外に放射される。また、ワイヤレス送信器から送信される無線信号（赤外線）は、レンズ部２２０を通して受信部４０７で受信（受光）される。したがって、非常用照明器具１は、モニタランプ４０５の光及びワイヤレス送信器から送信される無線信号を通過させるための孔をカバー５に設ける必要がない。その結果、非常用照明器具１は、カバー５に窓孔５０以外の孔を設ける必要がないので、従来例と比較して、外観の見栄えの低下を抑制することが可能になる。
【００３６】
上述のように非常用照明器具１は、光源（ＬＥモジュール２０）及びＬＥＤモジュール２０の配光を制御する光学部品（レンズブロック２２）を有する光源ユニット２と、蓄電池３０とを備える。非常用照明器具１は、蓄電池３０を充電し、かつ、蓄電池３０から供給される電力でＬＥＤモジュール２０を点灯させる点灯装置４０と、蓄電池３０の充電状況を表示する表示部（モニタランプ４０５）とを備える。非常用照明器具１は、光源ユニット２、蓄電池３０、点灯装置４０及びモニタランプ４０５を収容する器具本体（本体１０及びカバー５）を備える。点灯装置４０は、外部電源９から供給される電力で蓄電池３０を充電する充電回路４０１と、外部電源９が停電したときに蓄電池３０から供給される電力でＬＥＤモジュール２０を点灯させる点灯回路４０２とを有する。点灯装置４０は、操作入力を受け付ける操作部と、外部電源９の停電の有無によらず、操作部が操作入力を受け付けたときに点灯回路４０２を制御してＬＥＤモジュール２０を点灯させる制御回路４０４とを有する。器具本体は、レンズブロック２２の一部（レンズ部２２０）を露出させるための窓孔５０が前面（下面）に設けられた箱形に形成されている。モニタランプ４０５は、器具本体の前方（下方）から見て窓孔５０の投影範囲内に配置されている。操作部は、押釦４０６０を有する押釦スイッチ４０６と、押釦４０６０を押操作するための操作部材（放熱部材２１）とを有し、押釦スイッチ４０６の操作状態に応じて操作入力を受け付けるように構成されている。放熱部材２１は、窓孔５０から露出するレンズ部２２０に加えられる操作力によって押釦４０６０を押操作するように構成されている。
【００３７】
非常用照明器具１は上述のように構成されるので、押釦４０６０を押操作するための孔、及びモニタランプ４０５の光を通過させるための孔をカバー５に設ける必要がない。その結果、非常用照明器具１は、カバー５に窓孔５０以外の孔を設ける必要がないので、従来例と比較して、外観の見栄えの低下を抑制することが可能になる。
【００３８】
非常用照明器具１において、放熱部材２１は、ＬＥＤモジュール２０及びレンズブロック２２を保持するように構成されていることが好ましい。更に、放熱部材２１は、レンズ部２２０に加えられる操作力に応じて、器具本体に対して定常位置から操作位置まで変位し、操作位置に変位したときに押釦４０６０を押操作するように構成されていることが好ましい。
【００３９】
非常用照明器具１が上述のように構成されれば、ＬＥＤモジュール２０及びレンズブロック２２を保持する放熱部材２１に押釦４０６０を押操作する操作部材の機能を持たせることができる。その結果、非常用照明器具１は、ＬＥＤモジュール２０及びレンズブロック２２を保持する部材と操作部材を個別に有する場合と比較して構成部品の削減を図ることができる。
【００４０】
非常用照明器具１において、操作力がレンズ部２２０に加えられていないときに放熱部材２１に対して操作位置から定常位置に向かう復帰力を印加する復帰ばね４６を備えることが好ましい。
【００４１】
非常用照明器具１が上述のように構成されれば、復帰ばね４６の復帰力（ばね力）によって放熱部材２１を操作位置から定常位置に確実に変位（復帰）させることができる。
【００４２】
非常用照明器具１において、放熱部材２１は、器具本体に対する窓孔５０の貫通方向（上下方向）に沿って変位するように器具本体に取り付けられていることが好ましい。
【００４３】
非常用照明器具１が上述のように構成されれば、放熱部材２１が窓孔５０の貫通方向と交差する方向に沿って変位する場合と比較して、器具本体の貫通方向に沿った大きさの小型化を図ることができる。
【００４４】
非常用照明器具１において、制御回路４０４は、操作部が受け付ける操作入力が第１の操作入力である場合に点灯回路４０２に対して第１の制御動作を行うように構成されていることが好ましい。また、制御回路４０４は、操作部が受け付ける操作入力が第２の操作入力である場合に点灯回路４０２に対して第２の制御動作を行うように構成されていることが好ましい。
【００４５】
非常用照明器具１が上述のように構成されれば、２種類の操作入力に応じて、制御回路４０４に２種類の制御動作を各別に行わせることができる。
【００４６】
非常用照明器具１において、赤外線を媒体とする無線信号を受信する受信部４０７を備えることが好ましい。制御回路４０４は、無線信号が受信部４０７に受信されると、第１の制御動作と第２の制御動作のうちの少なくともいずれか一方の制御動作を行うように構成されることが好ましい。受信部４０７は、器具本体の前方から見て窓孔５０の投影範囲内に配置されていることが好ましい。
【００４７】
非常用照明器具１が上述のように構成されれば、赤外線を媒体とする無線信号を通過させるための孔をカバー５に設ける必要がない。その結果、非常用照明器具１は、無線信号による遠隔制御を可能としながらも外観の見栄えの低下を抑制することが可能になる。
【符号の説明】
【００４８】
１  非常用照明器具
２  光源ユニット
５  カバー（器具本体）
９  外部電源
１０  本体（器具本体）
２０  ＬＥＤモジュール（光源）
２１  放熱部材（操作部材）
２２  レンズブロック（光学部品）
３０  蓄電池
４０  点灯装置
４６  復帰ばね
５０  窓孔
２２０  レンズ部（光学部品の一部）
４０１  充電回路
４０２  点灯回路
４０４  制御回路
４０５  モニタランプ（表示部）
４０６  押釦スイッチ
４０７  受信部
４０６０  押釦
【図１】
2018137153.tif 000003
【図２】
2018137153.tif 000004
【図３】
2018137153.tif 000005
【図４】
2018137153.tif 000006
【図５】
2018137153.tif 000007
【図６】
2018137153.tif 000008
【図７】
2018137153.tif 000009
【図８】
2018137153.tif 000010
【図９】
2018137153.tif 000011
【図１０】
2018137153.tif 000012
【図１１】
2018137153.tif 000013
【図１２】
2018137153.tif 000014
【図１３】
2018137153.tif 000015
【図１４】
2018137153.tif 000016